(57)【要約】【課題】  通話に影響を与えることなく、高品質に音声を録音することを可能とし、かつマイク極性が異なるような電話機本体とハンドセットでも音声を録音できるようにする。【解決手段】  電話機本体１１とハンドセット（もしくはヘッドセット）１２とを結ぶ信号線から信号を分岐して通話を録音機２２で録音するために用いる音声信号取得装置であって、送話信号線１７に対し、ハンドセット１２のマイクロホンの極性を反転させることができる極性切替器３３を有し、受話／送話信号線１６，１７上の信号を取り出すための増幅器付き高インピーダンスピックアップ回路３２を有する。従来のような外部増幅器を用いるものと異なり、ピックアップ回路と増幅器間のインピーダンスミスマッチによる取得信号の劣化を防ぐことができる。【選択図】  図１
2006352639.tif 000002
【特許請求の範囲】
【請求項１】
電話機本体とハンドセットもしくはヘッドセットとを結ぶ信号線から信号を分岐して通話を録音機で録音するために用いる音声信号取得装置であって、
前記信号線に対し、前記ハンドセットもしくはヘッドセットのマイクロホンの極性を反転させることができる極性切替器を有し、
前記信号線上の信号を取り出すための増幅器付き高インピーダンスピックアップ回路を有することを特徴とする音声信号取得装置。
【請求項２】
電話機本体とハンドセットもしくはヘッドセットとを結ぶ信号線から信号を分岐して通話を録音機で録音するために用いる音声信号取得装置であって、
前記信号線に対し、前記ハンドセットもしくはヘッドセットのマイクロホンの極性を反転させることができる極性切替器を有し、
前記信号線から送話信号と受話信号とを別々に取り出すための２つの増幅器付き高インピーダンスピックアップ回路を有することを特徴とする音声信号取得装置。
【請求項３】
電話機本体とハンドセットもしくはヘッドセットとを結ぶ送話信号線及び受話信号線から送話信号及び受話信号を分岐して通話を録音機で録音するために用いる音声信号取得装置であって、
前記送話信号線に対し、前記ハンドセットもしくはヘッドセットのマイクロホンの極性を反転させることができる極性切替器を有し、
前記送話信号線及び受話信号線からそれぞれ送話信号及び受話信号を取り出すための２つの増幅器付き高インピーダンスピックアップ回路を有し、
前記受話信号線に介在されるトランスを有し、
前記送話信号線に介在されるトランス切替器を有し、
前記トランス切替器は前記送話信号を取り出す増幅器付き高インピーダンスピックアップ回路が正常か否かを検出し、正常でないと検出した場合にトランスを介して結合していた前記送話信号線を結線による結合に切り替える機能を有することを特徴とする音声信号取得装置。
【発明の詳細な説明】
【技術分野】
【０００１】
本発明は電話機本体とハンドセットもしくはヘッドセットとを結ぶ信号線から信号を分岐して通話を録音機で録音するために用いる音声信号取得装置に関する。
【背景技術】
【０００２】
図４は電話機における通話を録音するための従来装置の機能構成例を示したものであり、電話機本体１１とハンドセット１２との間に音声信号取得装置１３が接続される。受話信号は電話機本体１１からコネクタ１４を介し、音声信号取得装置１３の内部を通ってコネクタ１５に至り、コネクタ１５を介してハンドセット１２まで流れる。送話信号はハンドセット１２から逆方向にコネクタ１５、音声信号取得装置１３の内部、コネクタ１４を通って電話機本体１１へと流れる。図４中、１６は受話信号線を示し、１７は送話信号線を示す。
【０００３】
音声信号取得装置１３は受話信号線１６及び送話信号線１７からピックアップ回路１８を通して信号を分岐するものとなっており、分岐された信号はコネクタ１９を介し、外部の増幅器２１を通って録音機２２に入力され、これにより録音機２２で通話を録音することができるものとなっている（例えば、特許文献１参照）。
【特許文献１】特開昭６０−２２３３７０号公報
【発明の開示】
【発明が解決しようとする課題】
【０００４】
上述したように、従来の音声信号取得装置１３では外部の増幅器２１を用いるものとなっているため、ピックアップ回路１８と増幅器２１を含めたインピーダンスが未知となり、増幅器２１のインピーダンスによっては音声信号取得装置１３を用いることで、電話機本体１１とハンドセット１２との間の信号線の信号に雑音やパワーレベルの変動といった影響を及ぼし、通話に支障をきたす可能性があり、それによって音声を高品質に録音することができなくなる恐れがあり、つまり周辺機器の影響を受けずに通常の通話に支障なく、音声を高品質に録音することが難しいという問題がある。
【０００５】
また、使用するハンドセット１２のマイクロホンと電話機本体１１の極性が違う場合、マイクロホンによる音の収音ができなくなってしまうという問題もあり、この場合も通話に支障をきたすことになる。
本発明の目的はこのような問題に鑑み、周辺機器の影響を受けにくく、通話に影響を与えることなく、高品質に音声を録音することを可能とし、かつマイクロホンの極性が異なるような電話機本体とハンドセットでも音声を録音することができるようにした音声信号取得装置を提供することにある。
【課題を解決するための手段】
【０００６】
請求項１の発明によれば、電話機本体とハンドセットもしくはヘッドセットとを結ぶ信号線から信号を分岐して通話を録音機で録音するために用いる音声信号取得装置は、前記信号線に対し、ハンドセットもしくはヘッドセットのマイクロホンの極性を反転させることができる極性切替器を有し、前記信号線上の信号を取り出すための増幅器付き高インピーダンスピックアップ回路を有するものとされる。
【０００７】
請求項２の発明によれば、電話機本体とハンドセットもしくはヘッドセットとを結ぶ信号線から信号を分岐して通話を録音機で録音するために用いる音声信号取得装置は、前記信号線に対し、ハンドセットもしくはヘッドセットのマイクロホンの極性を反転させることができる極性切替器を有し、前記信号線から送話信号と受話信号とを別々に取り出すための２つの増幅器付き高インピーダンスピックアップ回路を有するものとされる。
【０００８】
請求項３の発明によれば、電話機本体とハンドセットもしくはヘッドセットとを結ぶ送話信号線及び受話信号線から送話信号及び受話信号を分岐して通話を録音機で録音するために用いる音声信号取得装置は、送話信号線に対し、ハンドセットもしくはヘッドセットのマイクロホンの極性を反転させることができる極性切替器を有し、送話信号線及び受話信号線からそれぞれ送話信号及び受話信号を取り出すための２つの増幅器付き高インピーダンスピックアップ回路を有し、受話信号線に介在されるトランスを有し、送話信号線に介在されるトランス切替器を有し、トランス切替器は送話信号を取り出す増幅器付き高インピーダンスピックアップ回路が正常か否かを検出し、正常でないと検出した場合にトランスを介して結合していた送話信号線を結線による結合に切り替える機能を有するものとされる。
【発明の効果】
【０００９】
本発明ではインピーダンス既知の増幅器を内蔵し、増幅器を含めた形で高インピーダンスのピックアップ回路を構成して音声信号を取り出すものとなっており、よって周辺機器の影響をあまり受けずに、通常の通話品質が保たれ、聴感上、話者に音声信号取得装置の存在を意識させなくした上で、従来のようなピックアップ回路と外部増幅器間のインピーダンスミスマッチによる取得信号の劣化を防ぐことができ、高品質に音声を録音することが可能となる。
また、マイクロホンの極性を反転させることができる極性切替器を有するため、マイクロホンの極性が異なるような電話機本体とハンドセットでも音声を録音することができる。
【００１０】
さらに、増幅器を内蔵することで、ゲインの調整を可能とすることができ、録音機器の雑音レベルに合わせて調整することができる。
本発明による音声信号取得装置を用いれば、高品質に音声を収録できるため、この音声信号取得装置の後段の録音機の代わりに、例えば音声認識システムを用いた場合に、音声認識に合った所望のレベルでＳ／Ｎの高い音声信号を得ることができるため、音声認識の精度を高めることができる。
なお、基本的な機器を一つの装置の中に組み込むことになるので、音声信号取得装置を含む全体の通話録音システムを設置するために必要なスペースも抑えることが可能となる。
【発明を実施するための最良の形態】
【００１１】
以下、本発明の実施形態を図面を参照して説明する。
［実施形態１］
本発明の実施形態１では、電話機本体とハンドセットとの間の信号線から増幅器付き高インピーダンス回路を通じて信号を分岐し、その分岐した信号を録音機に入力して録音を行えるものとする。さらに、極性切替器によりハンドセットのマイクロホンの極性を反転させることができるものとする。
請求項１に係る発明の実施形態の機能構成例を図１に示す。なお、図４と対応する部分には同一符号を付し、重複説明を省略する。
【００１２】
本実施形態では音声信号取得装置３１は増幅器付き高インピーダンスピックアップ回路３２を有し、この増幅器付き高インピーダンスピックアップ回路３２を通して受話信号線１６及び送話信号線１７から受話信号及び送話信号を分岐して取り出すものとなっている。取り出された受話信号及び送話信号はコネクタ１９を介して外部の録音機２２に入力され、これにより録音機２２で通話を録音することが可能となる。
また、送話信号線１７には極性切替器３３が設けられており、送話信号に関してはこの極性切替器３３によってハンドセット１２のマイクロホンの極性を反転させることができるものとなっている。
【００１３】
本実施形態によれば、従来のように外部の増幅器を用いるものと異なり、増幅器のインピーダンスは既知となり、つまり従来のようなピックアップ回路と外部増幅器間のインピーダンスミスマッチといったことは起こらないため、通話に影響を与えることなく、高品質に音声を取得することができる。また、マイクロホンの極性が逆であっても対応が可能であり、マイクロホンの極性に依らず、音声を取得することができる。さらに、増幅器付き高インピーダンスピックアップ回路３２内において、音声信号取得装置３１から録音機２２へ接続する結線にトランスを挟むようにすれば、電話機本体１１や音声信号取得装置３１を経由して重畳する雑音を抑えることができる。図１中、３４は増幅器付き高インピーダンスピックアップ回路３２に給電する電源装置を示す。電源装置３４は例えば電池もしくはＡＣアダプタとされる。なお、電源装置３４からの電源が切れた場合でも、電話機本体１１とハンドセット１２の間の結線は保たれるため、通話を妨げることはない。
【００１４】
［実施形態２］
本発明の実施形態２では実施形態１において１つの増幅器付き高インピーダンスピックアップ回路によって送話信号と受話信号とを取り出していたのに対し、増幅器付き高インピーダンスピックアップ回路を２つ設け、送話信号と受話信号とを別々の増幅器付き高インピーダンスピックアップ回路を通じて分岐して取り出すようにしたものである。
【００１５】
請求項２に係る発明の実施形態の機能構成例を図２に示す。
本実施形態では音声信号取得装置４１は２つの増幅器付き高インピーダンスピックアップ回路４２，４３を有し、一方の増幅器付き高インピーダンスピックアップ回路４２を通して受話信号線１６から受話信号を分岐して取り出し、他方の増幅器付き高インピーダンスピックアップ回路４３を通して送話信号線１７から送話信号を分岐して取り出すものとなっている。これら２つの増幅器付き高インピーダンスピックアップ回路４２，４３で別々に取り出された受話信号及び送話信号はコネクタ１９を介して外部の録音機２２に入力され、録音機２２で録音することが可能となる。
【００１６】
本実施形態によれば、受話信号と送話信号とが分離されて取得されるため、例えば送話側にのみ音声信号がある場合でも受話側の背景雑音の影響を受けるといったことや、あるいは受話側にのみ音声信号がある場合に送話側の背景雑音の影響を受けるといったことが発生せず、よって雑音の混入も少なく、より高品質な音声を録音することができる。特に、音声認識システムに本音声信号取得装置４１を用いる場合は、送話、受話別の信号を認識対象とできるため、送話側の信号をハンドセット特性（例えば、ハンドセットの周波数特性や周波数帯域、話者が固定ならば話者性や性別依存性）に合わせた音声のモデルを認識処理に用いたり、受話側の信号を電話回線特性（例えば、電話回線の周波数特性や周波数帯域）に合わせた音声のモデルを認識処理に用いたりすることで高い認識性能が得られる。
【００１７】
［実施形態３］
本発明の実施形態３では実施形態２に加えて、電話機本体とハンドセットとの間の信号線にトランス（変圧器）を介することで、電源などからくる直流に近いハム雑音を抑えるようにする。給電が必要なハンドセットのマイクロホンを用いる場合は増幅器付き高インピーダンスピックアップ回路を通じてマイクロホン側に給電を行う。通常時は増幅器付き高インピーダンスピックアップ回路を通じ、録音機で録音が可能となる。しかし、例えば増幅器付き高インピーダンスピックアップ回路が壊れた場合などはマイクロホンに給電されず、通話に支障をきたすことになる。そこで、本実施形態では増幅器付き高インピーダンスピックアップ回路が正常に動作しているのか否かを検出し、トランスを挟むのか、通常の結線に戻すのかを切り替える制御を行い、万一増幅器付き高インピーダンスピックアップ回路が壊れた場合でも通話が可能になるようにする。
【００１８】
請求項３に係る発明の実施形態の機能構成例を図３に示す。
本実施形態では音声信号取得装置５１はトランス５２とトランス切替器５３とを有する。トランス５２は受話信号線１６に介在され、トランス切替器５３は送話信号線１７に介在される。受話信号は電話機本体１１からコネクタ１４を介し、トランス５２、コネクタ１５を通じてハンドセット１２まで流れる。送話信号はハンドセット１２から逆方向にコネクタ１５、極性切替器３３を通り、トランス切替器５３からコネクタ１４を通って電話機本体１１へと流れる。
【００１９】
受話信号及び送話信号は実施形態２と同様、別々の増幅器付き高インピーダンスピックアップ回路４２，４３を通じて取り出され、コネクタ１９を介して外部の録音機２２で録音することが可能となる。
トランス切替器５３はトランスを具備し、送話信号線１７をトランスを介して結合するのか、トランスを介すことなく、結線によって結合するのかリレー回路等の働きによって切り替えることができるものであって、送話信号を取り出す増幅器付き高インピーダンスピックアップ回路４３が正常か否かを検出する手段を具備しており、正常でないと検出した場合にトランスを介して結合していた送話信号線１７を結線による結合に切り替える。
【００２０】
本実施形態では、通常時はトランス５２及びトランス切替器５３で電話機本体１１から流れる信号を終端しているため、電話機本体系と本音声信号取得装置５１とを切り離すことができ、また音声信号取得装置内蔵の増幅器付き高インピーダンスピックアップ回路４３からハンドセット１２のマイクロホンに直接給電し、ゲインをかけることになるので、高いパワーレベルの音声を取得でき、背景雑音の影響が少なく、高品質な音声の録音が可能となる。
【００２１】
また、万一、音声信号取得装置内蔵の増幅器付き高インピーダンスピックアップ回路４３が壊れたりあるいは電源装置３４が壊れたりして、増幅器付き高インピーダンスピックアップ回路４３が正常に動作しない状態となった場合でも、トランス切替器５３はその異常を検出して送話信号線１７をトランスで結んでいたところを通常の結線に戻すため、これにより通常通り電話機本体１１からハンドセット１２のマイクロホンへの給電が行われることになり、よって通話（送話）ができなくなるといった事態は発生せず、通常の通話に支障をきたすことはない。
【００２２】
なお、上述した各実施形態では音声信号取得装置が電話機本体とハンドセットとの間に接続された形態について説明したが、ハンドセットに替え、ヘッドセットを用いる場合であってもよい。
【図面の簡単な説明】
【００２３】
【図１】請求項１に係る発明の実施形態の機能構成例を示すブロック図。
【図２】請求項２に係る発明の実施形態の機能構成例を示すブロック図。
【図３】請求項３に係る発明の実施形態の機能構成例を示すブロック図。
【図４】従来の音声信号取得装置の機能構成を示すブロック図。
【符号の説明】
【００２４】
１１              電話機本体
１２              ハンドセット
２２              録音機
３１，４１，５１  音声信号取得装置
３２，４２，４３  増幅器付き高インピーダンスピックアップ回路
３３              極性切替器
５３              トランス切替器
【図１】
2006352639.tif 000003
【図２】
2006352639.tif 000004
【図３】
2006352639.tif 000005
【図４】
2006352639.tif 000006